(57)【要約】【課題】ドアの開閉動作に伴うワイヤーハーネスのドア内に対する進退動作をよりスムーズにすること。【解決手段】一部分がボディ１０に固定されるワイヤーハーネス１と、ドア２０内に配置され、ボディ１０側からドア２０側に延びるワイヤーハーネス１が挿入される挿入口部７４を有し、ワイヤーハーネス１を迂回可能な空間を有して収容するプロテクタ６０とを備える。プロテクタ６０の挿入口部７４は、その開口端部の周方向の少なくとも一部分における少なくとも内周縁部において、丸められた形状に形成されている。【選択図】図１
2012232670.tif 000002
【特許請求の範囲】
【請求項１】
車両のボディとドアとの間でワイヤーハーネスを配索するワイヤーハーネス配索構造部であって、
一部分が前記ボディに固定される前記ワイヤーハーネスと、
前記ドア内に配置され、前記ボディ側から前記ドア側に延びる前記ワイヤーハーネスが挿入される挿入口部を有し、前記ワイヤーハーネスを迂回可能な空間を有して収容するプロテクタと、
を備え、
前記プロテクタの前記挿入口部は、その開口端部の周方向の少なくとも一部分における少なくとも内周縁部において、丸められた形状に形成されている、ワイヤーハーネス配索構造部。
【請求項２】
請求項１に記載のワイヤーハーネス配索構造部であって、
前記プロテクタの前記挿入口部は、その開口端部における、前記ドアの開閉動作に伴って前記ワイヤーハーネスが曲げられて近接する側の部位において、丸められた形状に形成されている、ワイヤーハーネス配索構造部。
【請求項３】
請求項１又は請求項２に記載のワイヤーハーネス配索構造部であって、
前記プロテクタの前記挿入口部は、その開口端部の周方向全体において、丸められた形状に形成されている、ワイヤーハーネス配索構造部。
【請求項４】
請求項１〜請求項３のいずれか一項に記載のワイヤーハーネス配索構造部であって、
前記プロテクタの前記挿入口部は、その開口端部の内周縁部及び外周縁部において、丸められた形状に形成されている、ワイヤーハーネス配索構造部。
【請求項５】
請求項１〜請求項４のいずれか一項に記載のワイヤーハーネス配索構造部であって、
前記プロテクタの前記挿入口部は、周方向において少なくとも一部分が、前記挿入口部の開口端部に向けて徐々に外周側に拡がる形状に形成されている、ワイヤーハーネス配索構造部。
【請求項６】
請求項１〜請求項５のいずれか一項に記載のワイヤーハーネス配索構造部であって、
周方向に沿った凸条の山部と凹条の谷部とが延在方向に交互に連続して設けられる筒状に形成され、前記ワイヤーハーネスにおける前記ボディと前記ドアとの間に架け渡される部分の周囲を覆うと共に、その前記ドア側の端部を含む部分が前記挿入口部を通じて前記プロテクタ内に挿入されている外装部材をさらに備え、
前記プロテクタの前記挿入口部における開口端部は、前記外装部材の前記山部同士の間隔の半分より大きい寸法の曲率半径に丸められた形状に形成されている、ワイヤーハーネス配索構造部。
【請求項７】
請求項１〜請求項６のいずれか一項に記載のワイヤーハーネス配索構造部であって、
周方向に沿った凸条の山部と凹条の谷部とが延在方向に交互に連続して設けられる筒状に形成され、前記ワイヤーハーネスにおける前記ボディと前記ドアとの間に架け渡される部分の周囲を覆うと共に、その前記ドア側の端部を含む部分が前記挿入口部を通じて前記プロテクタ内に挿入されている外装部材をさらに備え、
前記プロテクタの前記挿入口部における開口端部は、前記外装部材の前記山部同士の間隔より大きい厚さ寸法に設定されている、ワイヤーハーネス配索構造部。
【発明の詳細な説明】
【技術分野】
【０００１】
ワイヤーハーネスをボディとドアとの間で配索する技術に関する。
【背景技術】
【０００２】
自動車のドアに搭載される電気機器等に対して電源供給又は信号伝達するために、ボディからドアにワイヤーハーネスが配索されることがある。
【０００３】
特許文献１は、車両ドアから車両ボディ本体にドアハーネスを配索するための車両用ドアハーネスの配索構造が開示されている。この配索構造では、車両ドアから車両ボディ本体にかけてドアハーネスが挿通された柔軟性のハーネスプロテクタを設置し、該ハーネスプロテクタの後端部を車両ドア内部のプロテクタケースにスライド自在に収容している。そして、車両ドアの開閉に際して、ハーネスプロテクタは、車両ドアと車両ボディ本体部との間で曲げられると共に、プロテクタケースに対してスライド動作する。
【先行技術文献】
【特許文献】
【０００４】
【特許文献１】特許第３３３９３４７号公報
【発明の概要】
【発明が解決しようとする課題】
【０００５】
しかしながら、特許文献１の構成によると、ハーネスプロテクタが、スライド動作時、特に曲げられた状態からプロテクタケース内に進入する際に、プロテクタケースの出入口における開口縁部に引っ掛かってしまう恐れがある。ハーネスプロテクタが省略されてワイヤーハーネス自身がケース内にスライド動作する場合も同様である。また、特に外周部に凹凸を有する部材（例えば、コルゲートチューブ）をハーネスプロテクタとして採用する場合には、その問題が顕著となる。そして、このような引っ掛かりが生じると、ワイヤーハーネスのドア内に対するスムーズな進退動作が阻害されてしまう。
【０００６】
そこで、本発明は、ドアの開閉動作に伴うワイヤーハーネスのドア内に対する進退動作をよりスムーズにすることを目的とする。
【課題を解決するための手段】
【０００７】
第１の態様は、車両のボディとドアとの間でワイヤーハーネスを配索するワイヤーハーネス配索構造部であって、一部分が前記ボディに固定される前記ワイヤーハーネスと、前記ドア内に配置され、前記ボディ側から前記ドア側に延びる前記ワイヤーハーネスが挿入される挿入口部を有し、前記ワイヤーハーネスを迂回可能な空間を有して収容するプロテクタとを備え、前記プロテクタの前記挿入口部は、その開口端部の周方向の少なくとも一部分における少なくとも内周縁部において、丸められた形状に形成されている。
【０００８】
第２の態様は、第１の態様に係るワイヤーハーネス配索構造部であって、前記プロテクタの前記挿入口部は、その開口端部における、前記ドアの開閉動作に伴って前記ワイヤーハーネスが曲げられて近接する側の部位において、丸められた形状に形成されている。
【０００９】
第３の態様は、第１又は第２の態様に係るワイヤーハーネス配索構造部であって、前記プロテクタの前記挿入口部は、その開口端部の周方向全体において、丸められた形状に形成されている。
【００１０】
第４の態様は、第１〜第３の態様のいずれか一態様に係るワイヤーハーネス配索構造部であって、前記プロテクタの前記挿入口部は、その開口端部の内周縁部及び外周縁部において、丸められた形状に形成されている。
【００１１】
第５の態様は、第１〜第４の態様のいずれか一態様に係るワイヤーハーネス配索構造部であって、前記プロテクタの前記挿入口部は、周方向において少なくとも一部分が、前記挿入口部の開口端部に向けて徐々に外周側に拡がる形状に形成されている。
【００１２】
第６の態様は、第１〜第５の態様のいずれか一態様に係るワイヤーハーネス配索構造部であって、周方向に沿った凸条の山部と凹条の谷部とが延在方向に交互に連続して設けられる筒状に形成され、前記ワイヤーハーネスにおける前記ボディと前記ドアとの間に架け渡される部分の周囲を覆うと共に、その前記ドア側の端部を含む部分が前記挿入口部を通じて前記プロテクタ内に挿入されている外装部材をさらに備え、前記プロテクタの前記挿入口部における開口端部は、前記外装部材の前記山部同士の間隔の半分より大きい寸法の曲率半径に丸められた形状に形成されている。
【００１３】
第７の態様は、第１〜第６の態様のいずれか一態様に係るワイヤーハーネス配索構造部であって、周方向に沿った凸条の山部と凹条の谷部とが延在方向に交互に連続して設けられる筒状に形成され、前記ワイヤーハーネスにおける前記ボディと前記ドアとの間に架け渡される部分の周囲を覆うと共に、その前記ドア側の端部を含む部分が前記挿入口部を通じて前記プロテクタ内に挿入されている外装部材をさらに備え、前記プロテクタの前記挿入口部における開口端部は、前記外装部材の前記山部同士の間隔より大きい厚さ寸法に設定されている。
【発明の効果】
【００１４】
第１の態様に係るワイヤーハーネス配索構造部によると、ワイヤーハーネスの一部分がボディに固定され、ドア内に配置されているプロテクタが、ボディ側からドア側に延びるワイヤーハーネスが挿入される挿入口部を有し、該ワイヤーハーネスを迂回可能な空間を有して収容するため、ボディとドアとの間で配索されるワイヤーハーネスを、ドアの開閉動作に伴ってプロテクタ内に進退動作させて余長吸収することができる。また、プロテクタの挿入口部が、その開口端部の周方向の少なくとも一部分における少なくとも内周縁部において、丸められた形状に形成されているため、ドアの開閉動作に伴うワイヤーハーネスのドア内に対する進退動作をよりスムーズにすることができる。
【００１５】
第２の態様に係るワイヤーハーネス配索構造部によると、挿入口部が、その開口端部における、ドアの開閉動作に伴ってワイヤーハーネスが曲げられて近接する側の部位において、丸められた形状に形成されている。このため、ドアの開閉動作の際に挿入口部の開口端部における比較的摺動が生じ易い部位で引っ掛かりを抑制することができる。
【００１６】
第３の態様に係るワイヤーハーネス配索構造部によると、プロテクタの挿入口部が、その開口端部の周方向全体において丸められた形状に形成されているため、ワイヤーハーネスのドア内に対する進退動作をよりスムーズにすることができる。
【００１７】
第４の態様に係るワイヤーハーネス配索構造部によると、プロテクタの挿入口部が、その開口端部の内周縁部及び外周縁部において丸められた形状に形成されているため、ワイヤーハーネスのドア内に対する進退動作をよりスムーズにすることができる。
【００１８】
第５の態様に係るワイヤーハーネス配索構造部によると、プロテクタの挿入口部は、周方向において少なくとも一部分が、挿入口部の開口端部に向けて徐々に外周側に拡がる形状に形成されているため、ワイヤーハーネスのドア内に対する進退動作をよりスムーズにすることができる。
【００１９】
第６の態様に係るワイヤーハーネス配索構造部によると、周方向に沿った凸条の山部と凹条の谷部とが延在方向に交互に連続して設けられる筒状に形成され、ワイヤーハーネスにおけるボディとドアとの間に架け渡される部分の周囲を覆う外装部材のうち、そのドア側の端部を含む部分が挿入口部を通じてプロテクタ内に挿入されている。そして、プロテクタの挿入口部における開口端部が、外装部材の山部同士の間隔の半分より大きい寸法の曲率半径に丸められた形状に形成されている。このため、挿入口部の開口端部が外装部材の山部に引っ掛かることを抑制して、ワイヤーハーネスのドア内に対する進退動作をよりスムーズにすることができる。
【００２０】
第７の態様に係るワイヤーハーネス配索構造部によると、プロテクタの挿入口部における開口端部が、外装部材の山部同士の間隔より大きい厚さ寸法に設定されている。このため、挿入口部の開口端部が外装部材の山部に引っ掛かることを抑制して、ワイヤーハーネスのドア内に対する進退動作をよりスムーズにすることができる。
【図面の簡単な説明】
【００２１】
【図１】車両に組み付けられたワイヤーハーネス配索構造部の側面図である。
【図２】ドアの開状態におけるワイヤーハーネス配索構造部の平面図である。
【図３】ドアの閉状態におけるワイヤーハーネス配索構造部の平面図である。
【図４】ボディ固定部の分解斜視図である。
【図５】挿入口部の斜視図である。
【図６】挿入口部の側面図である。
【図７】図６のＶＩＩ−ＶＩＩ線断面図である。
【図８】変形例に係る挿入口部の平断面図である。
【発明を実施するための形態】
【００２２】
以下、実施形態に係るワイヤーハーネス配索構造部３０について説明する（図１参照）。このワイヤーハーネス配索構造部３０は、車両のボディ１０とドア２０との間でワイヤーハーネス１を配索するための構成である。
【００２３】
配索対象となるワイヤーハーネス１は、ドア２０に搭載される電気機器に対して電源供給又は信号伝達するための複数の電線が、結束されて配索形状に形成されている。ドア２０に搭載される電気機器としては、スピーカー、サイドミラーモータ、ドアロックモータ、パワーウインドウ用モータ、各種スイッチ等がある。ここで、ワイヤーハーネス１におけるボディ１０からドア２０に架け渡される部分は、複数の電線が１本に結束されて構成されている。そして、ワイヤーハーネス１は、ドア２０内で分岐されて各種機器に接続される（図示省略）。
【００２４】
説明の便宜上、ボディ１０及びドア２０について説明しておく。ボディ１０は、金属材料等により形成されるフレーム及びパネル等が溶接等されて構成された部分である。ボディ１０の側部には、車両に乗り降りするための乗降口が形成されている。そして、ドア２０は、ボディ１０の乗降口を開閉可能に、ボディ１０に対してヒンジ部１９等により連結されている。より具体的には、ドア２０は、閉状態における車両前方側の端部が、ボディ１０の乗降口における周縁部の車両前方側の部位を構成するフロントピラーに対して、略鉛直方向に沿った連結軸周りに開閉動作可能に連結される。また、ドア２０は、金属板をプレス成型、打抜き等して形成されたドアインナーパネル２２及びその車外側に設けられる外装部材としてのドアアウターパネルと、合成樹脂材料等で形成され、ドアインナーパネル２２の車内側に取り付けられる内装部材としてのドアトリム２６とを有している。以下、ドア２０について、ボディ１０に対して連結される端部側（閉状態における車両前方）を前方、その反対側（閉状態における車両後方）を後方として説明することがある。
【００２５】
本実施形態に係るワイヤーハーネス配索構造部３０は、ワイヤーハーネス１を、ボディ１０のフロントピラーに貫通して配索すると共に、ドア２０のドアインナーパネル２２とドアトリム２６との間に配索する。このため、ボディ１０におけるフロントピラー（より具体的には、そのうちの乗降口の内周側の表面をなす部分）には、ワイヤーハーネス１を貫通配索するための貫通孔部１１が形成されている。また、ドア２０における前方の端部には、導入開口部２１が形成されている。ここでは、導入開口部２１は、ドアインナーパネル２２に形成された車内側に開口する凹部２３の前方側の端縁部と、ここに突き合わされるドアトリム２６の前方側の端縁部の組合せにより形成されている。なお、前記凹部２３は、ドア２０内において後述するプロテクタ６０が主として収容される部分である。
【００２６】
上記ボディ１０の貫通孔部１１とドア２０の導入開口部２１とは、ドア２０の閉状態において対向する部位に形成されている。すなわち、ドア２０の閉状態において、ボディ１０とドア２０との間でワイヤーハーネス１を直線状或いは緩やかな曲線状に配索できるように設定されている。
【００２７】
また、ドア２０には、周縁部に沿って防水用のウェザーストリップ２８が設けられている。このウェザーストリップ２８は、ドア２０を閉めた状態で、ボディ１０乗降口の開口縁部に密着して、車内外において水密状態を保持可能なゴム等の弾性材料で形成されている。そして、本ワイヤーハーネス配索構造部３０は、ワイヤーハーネス１をウェザーストリップ２８より車内側に配索するように構成されている。
【００２８】
ワイヤーハーネス配索構造部３０は、上記ワイヤーハーネス１と、外装部材４０と、ボディ固定部５０と、プロテクタ６０とを備えている。
【００２９】
ワイヤーハーネス１におけるボディ１０とドア２０との間に架け渡される部分を含む部分は、周囲を外装部材に覆われている。この外装部材４０は、ワイヤーハーネス１を、外部から保護すると共にボディ１０とドア２０との間で支持する部材である。
【００３０】
外装部材４０は、筒状の部材であり、その中空部に配設されるワイヤーハーネス１の周囲を覆っている。この外装部材４０は、ドア２０の開閉動作に連動してボディ１０とドア２０との間で曲げ変形可能、且つ、ワイヤーハーネス１をボディ１０とドア２０との間で屈曲、弛み及び垂れ下がりを抑制して支持可能に形成されている。
【００３１】
より具体的には、外装部材４０は、周方向に沿った凸条の山部４２と凹条の谷部４４とが延在方向に交互に連続して設けられる筒状に形成されている。そして、外装部材４０は、ワイヤーハーネス１より剛性が高く設定されて形成されている。外装部材４０の剛性は、材質及び形状により決定される。ここでは、外装部材４０は、合成樹脂（例えば、ＰＰ（ポリプロピレン）、ＰＡ（ポリアミド）等）を筒状に押出成型すると共にブロー成型或いはバキューム成型して製造されたコルゲートチューブである（図６参照）。
【００３２】
コルゲートチューブは、中心軸を含む断面視において、山部の頂部とその両側の側壁部との内角、及び、谷部の底部とその両側の側壁部との内角が大小変化することにより、延在方向に伸縮する。つまり、コルゲートチューブは、曲げ方向に力が加えられると内周側の部分の各内角が小さくなるように変形すると共に、外周側の部分の各内角が大きくなるように変形して曲げられる。このとき、コルゲートチューブは、内周側に位置する山部４２同士の間隔（コルゲートチューブの延在方向における寸法）が自然長の状態より小さくなると共に、外周側に位置する山部同士の間隔が自然長の状態より大きくなる。
【００３３】
また、外装部材４０は、扁平な形状（ここでは、延在方向に直交する断面視において対向する一対の弧を一対の直線が結ぶ形状）に形成されている。すなわち、外装部材４０は、断面視における長手方向に曲がり難く（剛性が高く）、短手方向に曲がりやすい（可撓性が高い）形状である。すなわち、コルゲートチューブの延在方向の伸縮可能量は通常周方向のどの部分でも変わらないため、内周部と外周部との距離が長いほど角度変化量が小さく曲がり難い。そして、この外装部材４０は、断面視における長手方向が略鉛直方向（ヒンジ部１９の連結軸方向）に沿う姿勢で設けられる。これにより、ヒンジ部１９の連結軸に平行な方向に曲げ規制されると共に該連結軸に直交する平面上で曲げ変形し易く、該連結軸周りに開閉動作するドア２０に対してよりスムーズに連動する。
【００３４】
ここで、外装部材４０の内部に配設されるワイヤーハーネス１は、断面視円形に結束されていても、外装部材４０の内部形状に対応した断面形状に形成されていてもよい。
【００３５】
もっとも、外装部材４０は、ワイヤーハーネス１より高い剛性を有していればよく、上述したコルゲートチューブに限定されるものではない。例えば、外装部材は、比較的硬質なゴム（ＥＰＤＭ（エチレンプロピレンジエンゴム）、エラストマー等）により形成された扁平な筒状であってもよい。また、外装部材４０は、扁平な形状に限られず、断面視円形等の形状に形成されていてもよい。
【００３６】
上述した凸条の山部と凹条の谷部とが延在方向に交互に連続して設けられる形状には、筒体から外周側に突出する周方向に沿った凸条部分が延在方向に間隔をあけて複数設けられ、該延在方向において厚さ寸法が異なる部分が交互に連続する形状等も含まれる。
【００３７】
上記外装部材４０は、一方の端部がワイヤーハーネス１におけるボディ１０内に配索される部分に対してテープ９０が巻き付けられる等して固定されると共に、該一方の端部寄りの一部分に後述するボディ固定部５０が装着されている（図２参照）。また、外装部材４０の他方の端部は、ワイヤーハーネス１におけるドア２０内（ここでは後述するプロテクタ６０内）に配索される部分にテープ９０が巻き付けられる等して固定され、該ワイヤーハーネス１と共にドア２０内に進退移動可能とされている（図１参照）。
【００３８】
ボディ固定部５０は、ワイヤーハーネス１の一部分をボディ１０の一部分に固定する部分である（図２〜図４参照）。このボディ固定部５０は、ボディ１０の乗降口におけるフロントピラーを貫通する形態でワイヤーハーネス１の一部を該フロントピラーに固定する。
【００３９】
ここでは、ボディ固定部５０は、ワイヤーハーネス１の周囲を覆う外装部材４０の一方の端部寄りの一部分に装着され、フロントピラーに形成された貫通孔部１１の開口縁部に固定される。また、このボディ固定部５０は、貫通孔部１１の開口縁部（エッジ）から外装部材４０及びワイヤーハーネス１を保護する部分でもある（このことからエッジプロテクタとも呼ばれる）。
【００４０】
このボディ固定部５０は、挿入部５２と、複数の係止部５３と、押え部５４と、凹凸位置決め部５６とを有している。
【００４１】
挿入部５２は、貫通孔部１１内に挿入可能であると共に、内側に外装部材４０を配設可能な筒状に形成されている。そして、挿入部５２は、貫通孔部１１に対して、車両の略前方側に向けて挿入される。ここで、説明の便宜上、貫通孔部１１について挿入部５２を挿入する向きを挿入方向Ｓと称し、これをボディ固定部５０自体の向きとしても用いる。
【００４２】
挿入部５２の先端側の部位には、挿入部５２を貫通孔部１１に挿入した状態で貫通孔部１１の開口縁部に対して挿入方向Ｓ前方側から係止可能な係止部５３が設けられている。この係止部５３は、挿入部５２の周方向複数位置（ここでは等間隔に４箇所）から外周側に突出するように形成され、貫通孔部１１の開口縁部に対して挿入方向Ｓ前方側から接触する係止面を有している。より具体的には、係止部５３は、挿入部５２の先端部で片持ち状に支持された板状に形成され、該挿入部５２の先端側から基端側に向けて徐々に挿入部５２の外周側への突出寸法が大きくなる姿勢で設けられている。この係止部５３は、挿入部５２の内周側に弾性変形可能である。
【００４３】
そして、各係止部５３は、挿入部５２が貫通孔部１１に挿入される際に、係止部５３が貫通孔部１１の開口縁部に当接して挿入部５２又は係止部５３自身が挿入部５２の内周側に弾性変形し、該開口縁部を乗り越えた位置で外周側に弾性復帰して開口縁部に係止する。
【００４４】
押え部５４は、挿入部５２の挿入方向Ｓ後端部に連続して設けられ、その外周側に張り出す鍔状に形成されている。この押え部５４の外周形状は、貫通孔部１１より大きく形成されている。そして、挿入部５２が貫通孔部１１に挿入された状態で、係止部５３が貫通孔部１１の開口縁部に対して挿入方向Ｓ前方側から係止すると共に、押え部５４が貫通孔部１１の周縁部に対して挿入方向Ｓ後方側から当接する。すなわち、貫通孔部１１の開口縁部が係止部５３と押え部５４とで挟まれて、ボディ固定部５０がドアインナーパネル２２に対して固定される。
【００４５】
凹凸位置決め部５６は、挿入部５２（及び押え部５４）内に配設される外装部材４０に対して、該外装部材４０の延在方向に相対移動不能に位置決めする部分である。ここでは、凹凸位置決め部５６は、外装部材４０としてのコルゲートチューブの凹凸状の外形に対して嵌合可能に形成されている。より具体的には、凹凸位置決め部５６は、挿入部５２の内周面から内周側に突出する周方向に沿った凸条に形成され、挿入部５２の貫通方向において外装部材４０の延在方向における谷部４４に対応した間隔（すなわち、同じ間隔又は１つ置きの間隔等）で複数設けられている。
【００４６】
上記ボディ固定部５０は、一対の組合せ部材（ここでは略Ｊ字形状の部材）を合体させることにより構成される。すなわち、外装部材４０を間に挟んだ状態で一対の組み合わせ部材を合体させることにより、凹凸位置決め部５６が外装部材４０の外周部に対して嵌合し、ボディ固定部５０は、外装部材４０に対して該外装部材４０の軸方向に相対移動不能に装着される。このボディ固定部５０が貫通孔部１１の開口縁部に固定されることにより、外装部材４０に覆われたワイヤーハーネス１が貫通孔部１１に貫通した形態でボディ１０に固定される。
【００４７】
ここでは、ボディ固定部５０は、一対の組合せ部材の突き合わせ部分の各一方の端部から突出する係止部５８と、各他方の端部に形成され、前記係止部５８が係止可能な被係止部５９とを有している。より具体的には、係止部５８は、組合せ部材の一方の端部から突出する挿入部の先端部から組合せ部材の内周側に突出する係止爪を有する部分である。この係止爪は、先端側から基端側に向けて徐々に突出寸法が大きくなる断面視略三角形状に形成され、基端側に面する係止面を有している。また、被係止部５９は、組合せ部材の他方の端面で開口すると共に奥側で内周側に屈曲した略Ｌ字形状の空間を有する凹形状に形成され、係止部５８を挿入可能である。そして、係止部５８が被係止部５９に挿入されると、係止爪の係止面が被係止部５９の一壁面に当接して係止する。これにより、一対の組合せ部材が合体された状態が維持される。
【００４８】
そして、ボディ固定部５０は、外装部材４０が鉛直方向に沿って扁平となる姿勢で貫通孔部１１の開口縁部に対して固定される。これにより、外装部材４０内に配設されているワイヤーハーネス１は、ヒンジ部１９の連結軸に平行な方向に曲げ規制されると共に該連結軸に直交する平面上で曲げ変形し易く、該連結軸周りに開閉動作するドア２０に対してよりスムーズに連動する。
【００４９】
もっとも、ボディ固定部５０は、上記形状に限られるものではない。例えば、ボディ固定部は、一対の組合せ部材における片方の突き合せ端部同士でヒンジにより連結され、開閉可能に構成されていてもよい。また、ボディ固定部は、係止部５８及び被係止部５９が省略され、一対の組合せ部材が突き合わされた状態で貫通孔部１１に固定されることにより合体状態を維持されるものでもよい。
【００５０】
また、ボディ固定部は、凹凸位置決め部５６の代わりに、挿入方向Ｓ前方又は後方に突出する外装部材４０又はワイヤーハーネス１固定用の突出片を設けてもよい。すなわち、外装部材４０又はワイヤーハーネス１におけるボディ固定部の挿入方向Ｓ一方に延び出る部分を、前記突出片に対してテープ巻き又はタイバンドで締め付ける等して固定すればよい。なお、タイバンドとは、段階的に環状体の周方向寸法を調節し保持可能な部材をいう。このような突出片を採用する場合、ボディ固定部は、全体として射出成型により一体に形成されてもよい。
【００５１】
プロテクタ６０は、ドア２０内に配置され、ボディ１０側からドア２０側に延びるワイヤーハーネス１が挿入される挿入口部７４を有し、ワイヤーハーネス１を迂回可能な空間を有して収容する部材である（図１〜図３参照）。このプロテクタ６０は、ワイヤーハーネス１を迂回可能な空間を有して収容する収容部６２と、ワイヤーハーネス１をボディ１０側から収容部６２に向けて案内する案内部７２とを有している。また、このプロテクタ６０は、収容部６２においてワイヤーハーネス１をその内部から外方に引き出す引出口部６４とを有している。ここでは、挿入口部７４を通じて案内部７２内に挿入されるワイヤーハーネス１の周囲を覆う外装部材４０の他方の端部を含む一部分を案内すると共に、該外装部材４０の他方の端部から延び出るワイヤーハーネス１を収容部６２内に収容する。そして、収容部６２内に収容したワイヤーハーネス１を、引出口部６４を通じてその外方のドアインナーパネル２２とドアトリム２６との間の空間に引き出す。ここでは、プロテクタ６０は、全体として側面視略Ｌ字形状に形成されている。
【００５２】
案内部７２は、一方（ボディ１０側）の端部に挿入口部７４を有すると共に、他方の端部が収容部６２と連続する筒状に形成され、外装部材４０における他方の端部を含む部分の変位経路を案内する。ここで、挿入口部７４とは、案内部７２の端部における筒状の部分を言うものとする。より具体的には、案内部７２は、延在方向に直交する断面視において略長方形をなす筒状に形成されている。そして、案内部７２は、挿入口部７４を通じて挿入される外装部材４０を、その外周部に接触することにより、外装部材４０の中心軸に対する放射方向（主として断面視における短手方向すなわち車内外方向）において位置（経路）規制する。もっとも、案内部７２は、外装部材４０を主として断面視における短手方向に位置規制することができればよく、断面視楕円形、円形或いは多角形等の筒状に形成されていてもよい。
【００５３】
この案内部７２は、略直線状に形成され、ドア２０の閉状態において、挿入口部７４がドア２０の前端部で開口する導入開口部２１の内側に配置されてボディ固定部５０に対向すると共に車両の前後方向に沿って設けられている。
【００５４】
案内部７２と外装部材４０との関係では、外装部材４０は、ボディ固定部５０によりボディ１０に固定された状態で、ドア２０の開状態において、少なくとも他方の端部を含む一部分が案内部７２内に挿入される程度に長い延在寸法に設定されている。一方、案内部７２は、ドア２０が開閉動作される際に、ドア２０内で進退される外装部材４０の他方の端部を含む部分を、収容部６２に向けて案内できればよい。ここでは、ドア２０の閉状態において、外装部材４０の他方の端部を収容部６２内に突出させる延在寸法に設定されている。
【００５５】
また、案内部７２の挿入口部７４は、その開口端部の周方向における少なくともドア２０の開閉動作に伴って外装部材４０（ワイヤーハーネス１）が曲げられて近接する側の部位のうち少なくとも内周縁部において、丸められた形状に形成されている（図５〜図７参照）。ここで、開口端部とは、案内部７２の延在方向における開口した端部を指し、内周縁部（及び後述する外周縁部）とは、前記開口端部の内外方向における内周側の縁部（及び外周側の縁部）を指す。
【００５６】
ここでは、ボディ１０側からドア２０側に延びる外装部材４０は、ドア２０の閉状態において車両の前後方向に沿った略直線状に延在すると共に、ドア２０の開状態においてドア２０側の端部が車外側に曲げられる。これにより、ドア２０の開状態において、外装部材４０のうち、案内部７２の挿入口部７４より奥に位置する部分が該案内部７２の車内側の内壁に当接すると共に、挿入口部７４の内側に位置する部分が、ドア２０の閉状態における経路より車外側に変位した経路を通る。このため、挿入口部７４は、その開口端部のうち車外側に位置する部位（長方形の開口端部の一辺）において、丸められた形状に形成されている（図５参照）。さらに、ここでは、挿入口部７４の開口端部における前記車外側の部位に加え、その部位に隣接して車内外方向に延びる部位も丸められた形状に形成されている。以下、挿入口部７４の開口端部における丸められた部位を、丸め部７５と称する。
【００５７】
この丸め部７５は、挿入口部７４の開口端部の内周縁部及び外周縁部において、丸められた形状に形成されている（図６、図７参照）。ここでは、挿入口部７４の開口端部は、周方向に直交する断面視において、内周縁部及び外周縁部における丸め部７５が連続して略半円形状に形成されている。もっとも、開口端部の内周縁部及び外周縁部における丸め部７５が、周方向に直交する断面視において直線部分により結ばれていてもよい。
【００５８】
ここでは、外装部材４０としてのコルゲートチューブによりワイヤーハーネス１の周囲を覆っているため、挿入口部７４における開口端部が、外装部材４０の山部４２に引っ掛かることを抑制できるような形状に形成されていることが好ましい。そこで、丸め部７５は、外装部材４０の山部４２同士の間隔（図６における寸法ｂ）の半分より大きい寸法の曲率半径に丸められた形状に形成されている。ここで、山部４２同士の間隔とは、山部４２における外周端部である頂部間の寸法を指し、換言すると、頂部より内周側に凹んだ溝条部分の両端に位置する段差になった部位同士の間隔である。より好ましくは、丸め部７５は、伸長状態における外装部材４０の山部４２同士の間隔の半分より大きい曲率半径に設定されるとよい。
【００５９】
また、挿入口部７４における開口端部は、外装部材４０の山部４２同士の間隔（図６における寸法ｂ）より大きい厚さ寸法（図６における寸法ａ）に設定されている。より好ましくは、前記開口端部は、伸長状態における外装部材４０の山部４２同士の間隔より大きい厚さ寸法に設定されているとよい。すなわち、挿入口部７４の開口端部は、外装部材４０の谷部４４に嵌まり込まない形状に形成されている。
【００６０】
上記のように形成された挿入口部７４の開口端部は、案内部７２の奥側の部分より肉厚に形成されている。これにより、ドア２０の開閉動作に伴って外装部材４０が比較的接触しやすい挿入口部７４の開口端部において、磨耗に対する耐久性を向上させることができる。
【００６１】
また、挿入口部７４は、周方向において少なくとも一部分が、開口端部に向けて徐々に（曲線状に）外周側に拡がる形状に形成されている。ここでは、挿入口部７４は、全周において、開口端部に向けて拡がっている。
【００６２】
もっとも、挿入口部７４は、その開口端部の周方向における少なくとも一部分において、丸められた形状に形成されていればよい。また、挿入口部７４は、開口端部の内周縁部だけで丸められた形状に形成されていてもよい。
【００６３】
また、挿入口部７４における開口端部は、角が一定の曲率半径で丸められている形状に限られず、異なる曲率半径に設定された部分が連続する形状に形成されていてもよい。
【００６４】
収容部６２は、案内部７２の他端側（後方）に連なる部分であり、内部に案内部７２により案内される外装部材４０の他方の端部から延び出たワイヤーハーネス１を迂回可能な空間を有して収容可能な収容空間を有している。また、収容部６２には、案内部７２に対して収容空間を介した部位に引出口部６４が設けられている。
【００６５】
この収容部６２は、外装部材４０の他方の端部から延び出たワイヤーハーネス１を、第１経路Ｒ１と、該第１経路Ｒ１に対して中間部が離間するように膨らんだ第２経路Ｒ２との間で曲げることにより迂回させて余長吸収可能に収容可能に形成されている（図１参照）。
【００６６】
より具体的には、収容部６２は、側面視において、収容空間を挟んで対向する第１壁部６６と第２壁部６７とを有している。収容空間内に収容されるワイヤーハーネス１は、第１経路Ｒ１を通る際に第１壁部６６に近接し、第２経路Ｒ２を通る際に第２壁部６７に近接して配設される。すなわち、ワイヤーハーネス１が第１経路Ｒ１を通る状態で、該ワイヤーハーネス１の第２壁部６７側に迂回可能な空間が存在する。この第１壁部６６及び第２壁部６７は、各一方の端部が案内部７２の他方の端部に連続し、各他方の端部が引出口部６４に連続している。より具体的には、第１壁部６６は、側面視略Ｌ字形状のプロテクタ６０の内周側で、案内部７２の他方の端部と収容部６２の引出口部６４とを略直線状に結ぶ形状に延在している。また、第２壁部６７は、第１壁部６６に収容空間分の間隔をあけて、側面視略Ｌ字形状のプロテクタ６０の外周側で、案内部７２の他方の端部と引出口部６４とを略Ｌ字状に結ぶ形状に延在している。換言すると、ここでは、収容部６２は、平面視において第１壁部６６を斜辺とする略直角三角形状に形成されている。なお、図１では、第２壁部６７における案内部７２の奥側の部位が、案内部７２から離間する向きに僅かに膨らんだ形状に形成されている。
【００６７】
そして、収容部６２は、ドア２０の開状態では、外装部材４０の他方の端部から延び出たワイヤーハーネス１を、第２壁部６７側に迂回可能な空間をあけた第１経路Ｒ１を通る形態で収容する。また、収容部６２は、ドア２０の閉状態では、ワイヤーハーネス１を、第２経路Ｒ２を通る形態で収容する。すなわち、収容部６２は、ドア２０が開姿勢から閉姿勢に閉動作されることによりワイヤーハーネス１のうち収容空間内に押し込まれる部分を、その内部で曲げて第１経路Ｒ１から該第１経路Ｒ１より距離の長い第２経路Ｒ２に迂回させることにより、ドア２０の閉動作に伴うワイヤーハーネス１の余長を吸収する。
【００６８】
ここでは、収容部６２の引出口部６４は、ドア２０において比較的多くの電気機器が配置される上方側に向けて開口する。また、収容部６２は、引出口部６４でワイヤーハーネス１を固定可能な引出位置決め部６５を有している。引出位置決め部６５は、引出口部６４の開口端部が部分的に（ここでは断面視Ｌ字状に）延出した形状に形成されている。そして、引出口部６４を通じて引き出されるワイヤーハーネス１を、引出位置決め部６５の内側に当接させた状態で、テープ９０を巻き付け又はタイバンドで締付け（ここではテープ９０を巻き付け）することにより、引出口部６４においてプロテクタ６０に対して位置決めすることができる。これにより、ドア２０の開閉動作時に収容部６２内にワイヤーハーネス１が進退しても、ボディ１０内に配索されるワイヤーハーネス１に対して引張り又は弛みが発生することを抑制することができる。
【００６９】
ワイヤーハーネス１を収容部６２に対して固定する構成は、上記引出位置決め部６５に限られず、引出口部６４から壁状に延出するドア内位置決め部にタイバンド挿通用の孔部が複数形成され、タイバンドを孔部に挿通してワイヤーハーネス１を締付け固定するものであってもよい。
【００７０】
このプロテクタ６０は、ドア２０内すなわちドアインナーパネル２２とドアトリム２６との間において、ドアインナーパネル２２に形成されている凹部２３内に部分的又は全体的に収容される。図２、図３では、プロテクタ６０が部分的に凹部２３内に収容され、引出口部６４の一部を含む部分が凹部２３から張り出してドアインナーパネル２２とドアトリム２６との間のスペースに位置している態様を示している。
【００７１】
プロテクタ６０は、前記凹部２３内に配置された状態でドア２０に固定される。このための構成として、プロテクタ６０は、ドア２０のドアインナーパネル２２に形成される孔部に対して嵌合可能な固定部６８を有している。固定部６８は、プロテクタ６０をドアインナーパネル２２に対して車外側に向けて押し付けることにより、前記孔部に嵌合する形状に形成されている。例えば、固定部６８としては、プロテクタ６０の外面から突出する基軸部と、その先端部からその外周側に拡がる形状に形成されて内周側に弾性変形可能な係止部とを有する構成を採用できる。ここでは、固定部６８は、プロテクタ６０の車外側の側面において、収容部６２及び案内部７２からそれぞれ突出するように２つ設けられている。そして、この固定部６８をドアインナーパネル２２に形成された孔部に挿入することにより、係止部が、孔部の開口縁部に当接して内周側に弾性変形し、孔部を越えた位置で外周側に弾性復帰して孔部の開口縁部に対して車外側から係止する。
【００７２】
もっとも、プロテクタ６０をドア２０に対して固定するための構成として、その他の固定構造が採用されてもよい。例えば、プロテクタ６０は、ねじ止め、ボルト止め、スタッドボルト止め又はブラケット固定等によりドアインナーパネル２２に対して固定可能な形状であってもよい。また、プロテクタ６０は、内装部材としてのドアトリムに固定されてもよい。
【００７３】
上記プロテクタ６０は、例えば、射出成型等によりそれぞれ形成した凹状の第１部材８１と蓋状の第２部材８２とを合体させて構成することができる。すなわち、本プロテクタ６０においては、挿入口部７４の開口端部のうち第１部材８１により構成される部位全体に丸め部７５が形成されている。もっとも、プロテクタは、凹状部材同士の組合せ等により構成されていてもよい。また、プロテクタ６０は、凹状部材であって、その開口部をドアトリム２６の一部分により塞ぐように構成されていてもよい。この場合、ドアトリム２６の一部分が外周側（車内側）に拡がる形状に形成され、また、その端縁部が丸められた形状に形成されているとよい。
【００７４】
上述したプロテクタ６０の形状は、その一例であり、他の種々の形状を採用することができる。すなわち、プロテクタ６０は、上述した挿入口部７４の形状を採用した上で、該挿入口部７４から挿入されるワイヤーハーネス１を収容部６２により迂回可能な空間を有して収容できる構成であればよく、車種によるドア２０の形状等を考慮して形成されるとよい。例えば、プロテクタ６０は、挿入口部７４の後方側に直接収容部６２が連続する形状でもよい。他にも、ワイヤーハーネス１を輪状に巻いて収容し、輪部の径を変化させて迂回可能な収容部を有する形状等を採用してもよい。
【００７５】
上記ワイヤーハーネス配索構造部３０は、ボディ１０からドア２０内に配索されるワイヤーハーネス１、外装部材４０、ボディ固定部５０及びプロテクタ６０をモジュール化して、車両組付け前に組み立てておくとよい。すなわち、ワイヤーハーネス１に外装部材４０を被せるとともに、該外装部材４０の一方の端部及び他方の端部を各部から延び出たワイヤーハーネス１にテープ９０巻きして固定し、外装部材４０の一方の端部寄りの一部分にボディ固定部５０を装着する。そして、外装部材４０の他方の端部を含む一部分をプロテクタ６０の案内部７２内に配設すると共に、外装部材４０の他方の端部から延び出たワイヤーハーネス１を収容部６２内に収容して引出口部６４から引き出される部分を引出位置決め部６５にテープ９０巻き固定しておけばよい。
【００７６】
これまで、ワイヤーハーネス１に外装部材４０が被されている例で説明したが、ワイヤーハーネス１自身が屈曲、弛み及び垂れ下がりを抑制可能な程度に高い剛性を有していれば、外装部材４０は省略されてもよい。外装部材４０が省略される場合にも、プロテクタ６０の挿入口部７４における丸め部７５の形状により、ワイヤーハーネス１が挿入口部７４の開口端部に引っ掛かることを抑制することができる。もっとも、ワイヤーハーネス１の保護及び曲げ方向規制の観点から言うと、外装部材４０が被されていることが好ましい。
【００７７】
また、図８に示す案内部１７２のように、挿入口部１７４がその開口端部の周方向全体において丸められた形状に形成されたものを採用することもできる。すなわち、プロテクタ１６０は、丸め部７５が形成された第１部材８１及び第２部材１８２の組み合わせにより構成される。この構成によると、ワイヤーハーネス１のドア２０内に対する進退動作をよりスムーズにすることができると共に、車両に組み付ける前の組み立て、搬送工程等においても、挿入口部１７４の開口端部に対する引っ掛かりを抑制することができる。
【００７８】
また、プロテクタ６０における挿入口部７４の開口端部は、内周縁部だけに丸め部を有する形状として、周方向に直交する断面視において挿入口部７４の内周側に曲率円弧を有する四半円形に形成されていてもよいし、四半円より大きい角度範囲の曲率円弧を有する形状に形成されていてもよい。
【００７９】
また、これまで、ワイヤーハーネス配索構造部３０を、フロントサイドドアとしてのドア２０に適用する例で説明したが、ボディ１０とヒンジ部１９で連結されるリアサイドドア等に適用してもよい。この場合、センターピラー（フロントサイドドアとリアサイドドアとの間のピラー）とリアサイドドアとの間にワイヤーハーネス１が架け渡される。すなわち、センターピラーに貫通孔部が形成され、ここにボディ固定部５０が取り付けられる。
【００８０】
上記実施形態に係るワイヤーハーネス配索構造部３０によると、ワイヤーハーネス１の一部分がボディ１０に固定され、ドア２０内に配置されているプロテクタ６０が、ボディ１０側からドア２０側に延びるワイヤーハーネス１が挿入される挿入口部７４を有し、該ワイヤーハーネス１を迂回可能な空間を有して収容するため、ボディ１０とドア２０との間で配索されるワイヤーハーネス１を、ボディ１０側の固定部分を基点として、ドア２０の開閉動作に伴ってプロテクタ６０内に進退動作させて余長吸収することができる。また、プロテクタ６０の挿入口部７４が、その開口端部の周方向の少なくとも一部分における少なくとも内周縁部において、丸められた形状に形成されているため、ドア２０の開閉動作に伴うワイヤーハーネス１のドア２０内に対する進退動作をよりスムーズにすることができる。
【００８１】
また、ワイヤーハーネス１より剛性が高く設定されて形成された外装部材４０が、ワイヤーハーネス１におけるボディ１０とドア２０との間に架け渡される部分の周囲を覆うように設けられている。この構成によると、ワイヤーハーネス１が、ボディ固定部５０とプロテクタ６０との間において、外部から保護されると共に、一方の端部寄りの一部分がボディ固定部５０によりドア２０に固定された外装部材４０の剛性により屈曲、弛み及び垂れ下がりが抑制され、ボディ固定部５０を基点として外装部材４０（ワイヤーハーネス１）がプロテクタ６０内に押し込まれてスムーズに進退される。
【００８２】
また、挿入口部７４が、その開口端部のうち、ドア２０の開閉動作に伴ってワイヤーハーネス１が曲げられて近接する側の部位において丸められた形状に形成されている構成によると、ドア２０の開閉動作の際に挿入口部７４の開口端部における比較的摺動が生じ易い部位で引っ掛かりを抑制することができる。
【００８３】
また、挿入口部７４が、その開口端部の内周縁部及び外周縁部において丸められた形状に形成されているため、ワイヤーハーネス１のドア２０内に対する進退動作をよりスムーズにすることができる。
【００８４】
また、挿入口部７４が、挿入口部７４の開口端部に向けて徐々に外周側に拡がる形状に形成されているため、ワイヤーハーネス１のドア２０内に対する進退動作をよりスムーズにすることができる。
【００８５】
また、挿入口部７４における開口端部が、外装部材４０の山部４２同士の間隔の半分より大きい寸法の曲率半径に丸められた形状に形成されているため、挿入口部７４の開口端部が外装部材４０の山部４２に引っ掛かることを抑制して、ワイヤーハーネス１のドア２０内に対する進退動作をよりスムーズにすることができる。
【００８６】
また、挿入口部７４における開口端部が、外装部材４０の山部４２同士の間隔より大きい厚さ寸法に設定されているため、挿入口部７４の開口端部が外装部材４０の山部４２に引っ掛かることを抑制して、ワイヤーハーネス１のドア２０内に対する進退動作をよりスムーズにすることができる。
【００８７】
また、ワイヤーハーネス配索構造部３０は、ワイヤーハーネス１をウェザーストリップ２８より車内側に配索しているため、グロメット等の止水用の部材を省略して、部品点数及び組立工数の削減、これに伴うコストダウン及び作業の効率化を図ることができる。なお、グロメットを用いない構成によれば、輸送時、梱包時のグロメットの変形を防止するためのカバーを用意することを省略することができる。また、ドア２０開閉時に生じ得る、ボディ１０又はドア２０の取り付け面に対するグロメットの浮きに伴う水漏れ等も回避することができる。さらに、ボディ１０とドア２０との間におけるワイヤーハーネスの配索構造に係る部品の盗難防止にも寄与する。また、グロメットを用いる場合と比較して、ワイヤーハーネス１を通す際のグロメットの拡げ作業も省略することができ、ワイヤーハーネス１の組み付け性向上に寄与する。
【００８８】
また、ドア２０側において、ワイヤーハーネス１は、プロテクタ６０をドアインナーパネル２２に固定してドアトリム２６を取り付けることにより該ドアインナーパネル２２とドアトリム２６との間に配置される。このため、露出されたスペースで作業を行うことができ、ワイヤーハーネス１をドア２０内に容易に配索することができる。
【符号の説明】
【００８９】
１  ワイヤーハーネス
１０  ボディ
２０  ドア
３０  ワイヤーハーネス配索構造部
４０  外装部材
４２  山部
４４  谷部
６０  プロテクタ
６８  固定部
７４  挿入口部
【図１】
2012232670.tif 000003
【図２】
2012232670.tif 000004
【図３】
2012232670.tif 000005
【図４】
2012232670.tif 000006
【図５】
2012232670.tif 000007
【図６】
2012232670.tif 000008
【図７】
2012232670.tif 000009
【図８】
2012232670.tif 000010